(57)【要約】【課題】  指先もしくは物体が触れた状態で移動することにより所定の動作指示を行うことのできる操作部材を備え、指先もしくは物体が操作部材に触れた位置を操作基準位置として操作することが可能となるので、操作基準位置がずれることなく、操作ミスが減少し、操作性を向上させることができる。【解決手段】  指がコントロールパッド１０９に始めに触れた位置を操作基準位置３０１とし、コントロールパッド１０９から指が離れるとリセットするように構成され、コントロールパッド１０９の両端にはそれぞれテレ端３０２とワイド端３０３が設定され、デフォルト位置３０１からテレ端３０２に向かってコントロールパッド１０９に触れている指の位置を移動させることにより、テレ方向へのズーム操作を行う。また、デフォルト位置３０１からワイド端３０３に向かって、コントロールパッド１０９に触れている指を移動させることで、ワイド方向へのズーム操作を行う。【選択図】  図３
2007129579.tif 000002
【特許請求の範囲】
【請求項１】
指先もしくは物体が触れた状態で移動することにより所定の動作指示を行うことのできる操作部材を備えた撮像装置であって、
前記指先もしくは物体が前記操作部材に触れた位置を前記操作部材の操作基準位置とし、指先もしくは物体が触れた状態で前記操作部材上を前記操作基準位置から所望の位置に移動したときに、前記操作基準位置と前記移動位置との移動量に応じて、前記所定の動作の速度が変化することを特徴とする撮像装置。
【請求項２】
前記操作部材から指先もしくは物体が離れることにより、前記操作基準位置がリセットされることを特徴とする請求項１に記載の撮像装置。
【請求項３】
前記操作部材を該撮像装置に入射する光軸と平行に配置することを特徴とする請求項１又は２に記載の撮像装置。
【請求項４】
前記操作部材を該撮像装置に入射する光軸に対してねじれの位置に配置することを特徴とする請求項１又は２に記載の撮像装置。
【請求項５】
前記操作部材を該撮像装置に入射する光軸に対して同心円上に配置することを特徴とする請求項１又は２に記載の撮像装置。
【請求項６】
前記操作部材を操作する際に、撮影画像もしくは再生画像を表示する表示装置に、そのとき操作している前記操作部材の位置に応じた前記所定の動作の速度を表示することを特徴とする請求項１〜５のいずれか１項に記載の撮像装置。
【請求項７】
前記操作部材に対して予め設定された操作動作を行うことにより、該操作部材により操作を行う前の状態もしくは予め設定された状態となることを特徴とする請求項１〜６のいずれか１項に記載の撮像装置。
【請求項８】
前記操作部材の形状が、前記操作部材を触るだけで特定の位置が分かる形状となっていることを特徴とする請求項１〜７のいずれか１項に記載の撮像装置。
【請求項９】
前記操作部材の特定の位置に凸部を形成したことを特徴とする請求項１〜７のいずれか１項に記載の撮像装置。
【発明の詳細な説明】
【技術分野】
【０００１】
本発明は、指先もしくは物体が触れた状態で移動することにより所定の動作指示を行うことのできる操作部材を備えた撮像装置に関する。
【背景技術】
【０００２】
昨今の撮像装置では、軽量化、小型化が要求されている。一方、機能面においては多機能化が進んでおり、それに伴い、操作キーが増加する傾向にある。こういった実情に鑑み、小型化による縮小されたスペースの中で、操作キーの増加を抑え、少ない数の操作キーで、複合的な機能の使い分けが可能となるように構成する等、様々な工夫がなされている。
【０００３】
また、従来技術として、特許文献１において、静電パッドを備えた撮像装置が開示されている。特許文献１に開示されている撮像装置では、静電パッド面上で、撮影者の指先の動きに対応した電気信号を検知し、この結果に基づき、撮像操作に関する操作信号を発生させる。この操作信号を受けて、その内容に応じた処理を実行する。具体的にはパッド上を指がスライドすることによりレリーズ処理を行うものである。
【０００４】
【特許文献１】特開２００３−２８７７９４号公報
【発明の開示】
【発明が解決しようとする課題】
【０００５】
しかしながら、特許文献１に開示された静電パッドによる操作は、従来から使用されているスイッチ等と比べて操作性において改善されているとはいえない。例えば、操作開始時において、静電パッド上の予め決められている操作基準位置に指を触れる必要があり、その操作基準位置からずれた位置に指を触れると、所望の操作ができなくなるおそれもある。
【０００６】
本発明は係る実情に鑑み、操作性を向上させた撮像装置を提供することを目的とする。
【課題を解決するための手段】
【０００７】
本発明は、指先もしくは物体が触れた状態で移動することにより所定の動作指示を行うことのできる操作部材を備えた撮像装置であって、前記指先もしくは物体が前記操作部材に触れた位置を前記操作部材の操作基準位置とし、指先もしくは物体が触れた状態で前記操作部材上を前記操作基準位置から所望の位置に移動したときに、前記操作基準位置と前記移動位置との移動量に応じて、前記所定の動作の速度が変化することを特徴とする。
【発明の効果】
【０００８】
本発明によれば、指先もしくは物体が触れた状態で移動することにより所定の動作指示を行うことのできる操作部材を備え、指先もしくは物体が操作部材に触れた位置を操作基準位置として操作することが可能となるので、操作基準位置がずれることがなく、操作ミスが減少し、操作性を向上させることができる。また、指先もしくは物体が触れた状態で前記操作部材上を前記操作基準位置から所望の位置に移動したときに、前記操作基準位置と前記移動位置との移動量に応じて、前記所定の動作の速度が変化するので、多様な指示が可能になる。
【発明を実施するための最良の形態】
【０００９】
以下、図面に基づき、本発明の実施の形態に係る撮像装置について説明する。図１Ａ〜１Ｄは撮像装置の一例であるビデオカメラにおけるコントロールパッドの配置を示す図である。図１Ａはビデオカメラの側面図である。図１Ｂはビデオカメラの背面図である。図１Ｃはビデオカメラの斜視図である。図１Ｄはビデオカメラ本体１０１から表示装置１０３を開いた状態を示す図である。
【００１０】
１０１はビデオカメラ本体である。１０２は光学レンズである。１０３はビデオカメラ本体１０１に開閉可能に連結された表示装置であり、動画像や静止画像等を表示する。
【００１１】
１０４〜１１０は指先もしくは物体が触れた状態で移動することにより所定の動作指示を行うことのできる操作部材（以下、「コントロールパッド」と称する）である。コントロールパッド１０４は表示装置１０３の上方において、ビデオカメラ本体１０１の筐体に、光学レンズ１０２に入射する光軸と平行に配置されている。コントロールパッド１０４は、静止画のサムネイル送り機能、プレイリスト送り機能、レックサーチ機能を有する。
【００１２】
また、コントロールパッド１０５は、表示装置１０３の前方において、ビデオカメラ本体１０１の筐体に、前記光軸に対してねじれの位置に配置されている。コントロールパッド１０５は、静止画のサムネイル送り機能、プレイリスト送り機能、レックサーチ機能を有する。
【００１３】
また、コントロールパッド１０６は、ビデオカメラ本体１０１の筐体に、前記光軸に対して同心円上に位置するように円弧状に配置されている。コントロールパッド１０６は、マニュアルフォーカス機能を有する。
【００１４】
また、コントロールパッド１０７は、ビデオカメラ本体１０１の背面に配置されている。コントロールパッド１０７は、静止画のサムネイル送り機能、プレイリスト送り機能、レックサーチ機能を有する。
【００１５】
また、コントロールパッド１０８は、ビデオカメラ本体１０１を把持した際に指が当たる位置に配置され、ビデオカメラ本体１０１の筐体の形状に沿うように円弧状に構成されている。コントロールパッド１０８は、静止画のサムネイル送り機能、プレイリスト送り機能、及びレックサーチ機能を有する。
【００１６】
また、コントロールパッド１０９は、ビデオカメラ本体１０１を把持した際に指が当たる位置で、かつ、前記光軸と平行に配置されている。コントロールパッド１０９は、ズーム機能を有する。
【００１７】
コントロールパッド１１０は、表示装置１０３が収納されるビデオカメラ本体１０１の収納面に配置されている。コントロールパッド１１０は、静止画のサムネイル送り機能、プレイリスト送り機能、レックサーチ機能を有する。
【００１８】
なお、コントロールパッド１０４〜１１０の機能は、本実施の形態で設定した機能に限るものではない。各コントロールパッドにおいて、任意に、静止画のサムネイル送り操作キー、プレイリスト送り操作キー、レックサーチ操作キー、ズーム操作キー、マニュアルフォーカス操作キー等の各種操作キーとしての役割を割り当てることができる。
【００１９】
各コントローラパッドにおいては、図２に示すように、パッド（押圧部）２０１が、基板２０２上に間隔をおいて配置された複数の弾性体２０３を介して支持されている。パッド２０１の下面には導体２０４が貼り付けられている。また、基板２０２上には電極２０５が配設されている。パッド２０１を指や物体で押すことにより弾性体２０３が変形し、導体２０４が電極２０５に接触して電流が流れ、電気信号としてＣＰＵ等に指令を送るように構成されている。
【００２０】
ここで、図３を参照してコントロールパッドがズーム操作キーとして割り当てられた場合について説明する。ここでは、便宜上コントロールパッド１０９として説明する。
【００２１】
図３において、指や物体がコントロールパッド１０９に触れた位置を操作基準位置（以下、「デフォルト位置」と称する）３０１とし、コントロールパッド１０９から指や物体が離れるとデフォルト位置３０１がリセットされるように構成されている。
【００２２】
コントロールパッド１０９の図中左端がテレ端３０２、図中右端がワイド端３０３として設定され、デフォルト位置３０１からテレ端３０２に向かってコントロールパッド１０９に触れた状態で指を移動させることにより、テレ方向へのズーム操作を行う。また、デフォルト位置３０１からワイド端３０３に向かって、コントロールパッド１０９に触れた状態で指を移動させることで、ワイド方向へのズーム操作を行う。
【００２３】
この場合に、デフォルト位置３０１を任意に指定することができるので、デフォルト位置３０１からテレ端３０２、ワイド端３０３までの最大移動距離を変えることができる。また、始めに触れる位置がコントロールパッド１０９上のどの位置であっても、テレ端３０２方向に移動すればテレ方向へのズームを行い、ワイド端３０３方向に移動すればワイド方向へのズームを行う。
【００２４】
次に、図４のフローチャートを参照して、コントロールパッド１０４〜１１０の操作時の動作について説明する。ステップＳ４０１において、ビデオカメラの電源をＯＮにする。ステップＳ４０２において、コントロールパッドに指や物体が触れることによりデフォルト位置が設定される。ステップＳ４０３において、コントロールパッド上を指や物体が移動すると、ステップＳ４０４において、移動した位置により指定の操作が実行される。また、ステップＳ４０２及びＳ４０４の後、ステップＳ４０５において、指や物体をコントロールパッドから離すことで、ステップＳ４０６において、デフォルト位置の情報がリセットされる。以上のように、ステップＳ４０２〜ステップＳ４０６の動作が電源をＯＦＦするまで繰り返される。
【００２５】
次に、図５を参照して、コントロールパッドの操作例について説明する。図５は、コントロールパッドを示す模式図であり、コントロールパッド１０４〜１１０のいずれであってもよいが、ここでは便宜上コントロールパッド５０１とする。ここでは、コントロールパッド５０１が動作速度を切り替えるためのキー、例えばズーム速度、サムネイル送りやプレイリスト送り等の送り速度を切り替えるキーとしての役割を果たすものとする。
【００２６】
図５において、５０２はコントロールパッド５０１に触れたことにより認識されるデフォルト位置である。また、図２に示したようにコントロールパッド５０１の内部は複数のスイッチ部が形成されるが、ここではコントロールパッド５０１の内部において、一方の端部から他方の端部にかけて、スイッチ１（ＳＷ１）、スイッチ２（ＳＷ２）、スイッチ３（ＳＷ３）、スイッチ４（ＳＷ４）、スイッチ５（ＳＷ５）、スイッチ６（ＳＷ６）、スイッチ７（ＳＷ７）が配設される構成となっている。
【００２７】
図５（ａ）は、ＳＷ４がデフォルト位置５０２となった状態を示す。この状態で、コントロールパッド５０１に触れている指や物体の位置がＳＷ３の位置に移動することにより、動作速度（ズーム速度や送り速度）が２倍になる。同様にコントロールパッド５０１に触れている指や物体の位置がＳＷ２の位置に移動することで、動作速度が４倍になる。同様にコントロールパッド５０１に触れている指や物体の位置がＳＷ１の位置に移動することで、動作速度が６倍になる。また、コントロールパッド５０１に触れている指や物体の位置がＳＷ５の位置に移動することで、マイナス方向への動作速度が２倍になる。同様にコントロールパッド５０１に触れている指や物体の位置がＳＷ６の位置に移動することで、マイナス方向への動作速度が４倍になる。同様にコントロールパッド５０１に触れている指や物体の位置がＳＷ７に移動することで、マイナス方向への動作速度が６倍になる。
【００２８】
図５（ｂ）は、ＳＷ６がデフォルト位置５０２となった状態を示す。前述したのと同様に、各スイッチＳＷ１〜ＳＷ７の位置に移動させることにより、各々設定された操作速度の処理が行われる。この場合に、コントロールパッド５０１に触れている指や物体の位置がＳＷ１の位置に移動することで、動作速度が１０倍になり、前述のＳＷ４がデフォルト位置５０２になった場合より広範囲の動作速度が得られることになる。一方ではマイナス方向への動作速度は制限されることになる。
【００２９】
以上のように、コントロールパッド５０１に触れている位置により動作速度が変化するので、見たい画像まで遠いときには送り速度を速くし、見たい画像に近くなったときには送り速度を落とすといった操作が可能となる。しかも、デフォルト位置５０２を任意の位置で設定可能なため、動作速度の最大値を変更することができる。特にＳＷ１或いはＳＷ７をデフォルト位置５０２とした場合、動作速度を最大値とすることができる。
【００３０】
なお、コントロールパッド５０１に配設されたスイッチＳＷ１〜ＳＷ７の数は限定されるものではなく、用途に合わせて複数個配設できる。
【００３１】
また、各スイッチにおいて複合的な操作設定も可能であり、例えば、図５で説明した操作を行った後、ＳＷ１とＳＷ７とを同時に押すことにより、静止画のサムネイル送りであれば、指定した画像を表示する状態になるように設定しておくことも可能である。この操作動作や該操作動作による状態の設定は、コントロールパッド５０１によって操作を行う前に予め機器内に含まれるメモリ等に記憶させておく。また、コントロールパッド５０１の操作を行った後に、設定された操作動作を行うと、コントロールパッド５０１の操作を行う前の状態に戻るようにしてもよい。
【００３２】
また、動画を再生しているときに、ある場面を記憶しておきたい場合に、設定されたあるスイッチを押すことにより、前記場面が記憶され、その後、他の場面を見た後にコントロールパッド５０１の左右端のスイッチＳＷ１とＳＷ７とを押す等の設定された操作動作を行うことにより、前記記憶させた場面に戻ることができるように設定する等、スライド動作に限らず複合的な操作設定も可能にすることができる。
【００３３】
図５で説明したように動作速度を変更可能にした場合、図６に示すように表示装置１０３に動作速度レベルを表示することも好適である。図６は、ビデオカメラ本体１０１の背面側から見た斜視図であり、表示装置１０３が開いた状態にある。図６に示すように、表示装置１０３の一部分にキャラクタ６０１、６０２を表示する。キャラクタ６０１は、使用しているコントロールパッドの操作名（ズーム速度や送り速度等）を表示し、キャラクタ６０２は、使用しているコントロールパッドによる動作速度レベルを表示する。このような機能を付加することで、使い勝手の良いビデオカメラを提供することができる。
【００３４】
図１Ａ〜１Ｄにおいて説明したように、コントロールパッドは直線状に形成するものや円弧状に形成するもの等、特にその形状は限定されるものではないが、例えば図７（ａ）に示すように、コントロールパッド７０１の中央に凸部７０２を形成したり、コントロールパッド７０１の形状をへの字型にして、触れるだけで中央位置が分るようにしたりすれば、使用者が触れるだけでコントロールパッド７０１の中央を認識することができ、操作性を向上させることができる。
【図面の簡単な説明】
【００３５】
【図１Ａ】本発明の実施の形態に係るビデオカメラの側面図である。
【図１Ｂ】本発明の実施の形態に係るビデオカメラの背面図である。
【図１Ｃ】本発明の実施の形態に係るビデオカメラの斜視図である。
【図１Ｄ】ビデオカメラ本体から表示装置を開いた状態を示す図である。
【図２】コントロールパッドの構成を説明するための図である。
【図３】ズーム操作キーとして割り当てられたコントロールパッドを示す図である。
【図４】コントロールパッドの操作時の動作について説明するためのフローチャートである。
【図５】コントロールパッドを示す図である。
【図６】ビデオカメラの表示装置での表示を説明するための図である。
【図７】コントロールパッド一例を示す図である。
【符号の説明】
【００３６】
１０１  ビデオカメラ本体
１０２  光学レンズ
１０３  表示装置
１０４  コントロールパッド
１０５  コントロールパッド
１０６  コントロールパッド
１０７  コントロールパッド
１０８  コントロールパッド
１０９  コントロールパッド
１１０  コントロールパッド
【図１Ａ】
2007129579.tif 000003
【図１Ｂ】
2007129579.tif 000004
【図１Ｃ】
2007129579.tif 000005
【図１Ｄ】
2007129579.tif 000006
【図２】
2007129579.tif 000007
【図３】
2007129579.tif 000008
【図４】
2007129579.tif 000009
【図５】
2007129579.tif 000010
【図６】
2007129579.tif 000011
【図７】
2007129579.tif 000012